【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
注入器のためのカセットであって、
ハウジングと、
前記カセットについての情報を含むコードを規定するカセット識別構成（カセットＩＤ）であって、前記コードが、前記注入器によって検出可能および解読可能であり、前記カセットＩＤが、前記ハウジング上に配置されるか、前記ハウジング内に埋め込まれるか、前記ハウジング内に収容される別体の構造体上もしくは前記構造体内に設けられるか、または、それらの任意の組み合わせである、カセット識別構成（カセットＩＤ）と、
を備えるカセット。
【請求項２】
前記カセットＩＤが、前記カセットが前記注入器内または前記注入器上に置かれるときに前記注入器の検出器の少なくとも１つの感知要素に接触するための接触システム、または、前記カセットＩＤと前記注入器との間の接触を必要としない非接触システム、または、それらの任意の組み合わせを備える、請求項１に記載のカセット。
【請求項３】
前記接触システムが、前記コードを提供する複数の位置を含み、前記複数の位置の各々が、構造体を有するか、または構造体を有しておらず、前記コードが、前記構造体と、構造体が全くないことと、によって少なくとも部分的に決定される、請求項２に記載のカセット。
【請求項４】
前記構造体が、１つ以上のタブ、１つ以上の窪み、または、それらの組み合わせを備える、請求項３に記載のカセット。
【請求項５】
前記１つ以上のタブの各々が、２つ以上の異なる長さから選択される長さを有し、かつ前記コードが、前記１つ以上のタブの前記長さによって少なくとも部分的に決定されるか、前記１つ以上の窪みが、２つ以上の異なる深さから選択される深さを有し、かつ前記コードが、前記１つ以上の窪みの前記深さによって少なくとも部分的に決定されるか、または前記コードが、それらの組み合わせによって少なくとも部分的に決定される、請求項４に記載のカセット。
【請求項６】
前記接触システムが、前記複数の位置と組み合わせる少なくとも１つの導電性ストリップをさらに備え、選択的に、
（ａ）前記コードが、前記少なくとも１つの導電性ストリップの様々なハウジング位置によって少なくとも部分的に決定されるか、または
（ｂ）前記複数の位置と組み合わせる前記少なくとも１つの導電性ストリップの数が、前記コードを少なくとも部分的に決定する、請求項３から５のいずれか一項に記載のカセット。
【請求項７】
前記少なくとも１つの導電性ストリップが、真っ直ぐな経路または曲がった経路を形成し、前記コードが、前記少なくとも１つの導電性ストリップの前記経路によって少なくとも部分的に決定される、請求項６に記載のカセット。
【請求項８】
前記非接触システムが、無線周波数（ＲＦ）電磁場（ＥＭＦ）を放つためのデバイス、磁場（ＭＦ）を放つためのデバイス、機械読み取りが可能なデータの光学表現（ＯＲＤ）を放つためのデバイス、または、それらの任意の組み合わせを備え、前記ＲＦ  ＥＭＦ、ＭＦ、ＯＲＤ、または、それらの任意の組み合わせは、前記カセットが前記注入器内または前記注入器上に置かれるとき、前記注入器の検出器によって感知され、前記コードが、前記ＲＦ  ＥＭＦ、ＭＦ、ＯＲＤ、または、それらの任意の組み合わせによって少なくとも部分的に決定される、請求項２から７のいずれか一項に記載のカセット。
【請求項９】
前記情報が、前記カセットの種類を識別する情報、前記カセットの内容物を識別する情報、前記カセットがＯＥＭカセットであるかどうかを識別する情報、前記カセットについての製造データを識別する情報、前記カセットの容器内の薬物の量を識別する情報、前記カセットの容器内の薬物の薬物特性を識別する情報、前記カセットの容器内の薬物の薬物粘度を識別する情報を含むか、前記注入器に、その運転パラメータを調節もしくは選択させることができるか、または前記注入器に、１つ以上の運転プログラムを選択させることができる、請求項１から８のいずれか一項に記載のカセット。
【請求項１０】
前記運転パラメータが、注入速度、針挿入速度、注入前および注入後の待機時間、針挿入深さ、温度制限、または、それらの任意の組み合わせを含む、請求項９に記載のカセット。
【請求項１１】
前記カセットが、薬物で治療のために充填されるかまたは薬物であらかじめ充填される容器をさらに備え、前記薬物が、治療薬を含む、請求項１から１０のいずれか一項に記載のカセット。
【請求項１２】
前記治療薬が、Ｅｐｏｇｅｎ（登録商標）、Ａｒａｎｅｓｐ（登録商標）、Ｅｎｂｒｅｌ（登録商標）、Ｎｅｕｌａｓｔａ（登録商標）、Ｎｅｕｐｏｇｅｎ（登録商標）、Ｎｐｌａｔｅ（登録商標）、Ｖｅｃｔｉｂｉｘ（登録商標）、Ｓｅｎｓｉｐａｒ（登録商標）、Ｘｇｅｖａ（登録商標）、およびＰｒｏｌｉａ（登録商標）、ＩＬ−１７受容体Ａに対する抗体、アンジオポエチン２の拮抗薬、ＴＮＦ遮断薬またはＴＮＦ阻害剤のうちの１つを含む、請求項１１に記載のカセット。
【請求項１３】
前記治療薬が、室温において、約１９センチポアズの粘度を有する、請求項１１または１２に記載のカセット。
【請求項１４】
前記治療薬が、室温において、約１センチポアズから約３２０センチポアズの間の範囲である粘度を有する、請求項１１から１３のいずれか一項に記載のカセット。
【請求項１５】
注入器のためのカセットであって、
ハウジングと、
薬物を収容するための流体チャンバ、および、前記流体チャンバと流体連通している注入針を有し、前記ハウジング内において、近位位置と遠位位置との間で移動可能である本体部材と、
前記注入針を覆って配置される針遮蔽体と、
第１の本体部分および第２の本体部分を備える、前記針遮蔽体を除去するためのカセットキャップであって、前記第１の本体部分が前記針遮蔽体と係合し、前記第１の本体部分が、前記ハウジングにある開口を通じて延び、前記カセットキャップを前記ハウジングから引き抜いて前記針遮蔽体を除去するために掴まれ得る端を規定し、前記第２の本体部分がキーを規定する、カセットキャップと、
前記カセットキャップの曲げまたは屈曲を防止するための曲げ防止構造であって、前記曲げ防止構造が、前記キーの両側から外側に延びる少なくとも一対のタブを備える少なくとも第１の部材と、前記第１の部材と相互作用するための前記ハウジング上の少なくとも第２の部材と、を有する、曲げ防止構造と
を備える、カセット。
【請求項１６】
前記ハウジングが、前記ハウジングの壁を通って延びる開口を有し、前記開口が、前記カセットキャップの前記第１の本体部分を受け入れる第１の部分と、前記カセットキャップの前記第２の本体部分を受け入れる第２の部分と、を含み、前記ハウジングが、前記開口の前記第２の部分からの延長部であって、前記カセットキャップの前記第１の部材が前記延長部を通過することを可能にする、延長部を有する、請求項１５に記載のカセット。
【請求項１７】
前記一対のタブが前記キーの側壁上に配置される、請求項１５または１６に記載のカセット。
【請求項１８】
前記一対のタブが、第１の対のタブを備え、前記第１の部材が、前記第１の対のタブから離間される第２の対のタブをさらに備える、請求項１５から１７のいずれか一項に記載のカセット。
【請求項１９】
前記第２の対のタブが前記キーの側壁上に配置される、請求項１８に記載のカセット。
【請求項２０】
前記第１の対のタブ及び前記第２の対のタブが前記キーの前記側壁の外面から延びる、請求項１９に記載のカセット。
【請求項２１】
前記第１の対のタブが前記キーの第１の端に隣接して配置され、前記第２の対のタブが前記キーの第２の端に隣接して配置される、請求項１８から２０のいずれか一項に記載のカセット。
【請求項２２】
前記第２の部材が一対のリブを備える、請求項１５から２１のいずれか一項に記載のカセット。
【請求項２３】
前記一対のリブが前記ハウジングの側壁上に配置される、請求項２２に記載のカセット。
【請求項２４】
前記第１の対のタブの上面が前記一対のリブの下面と係合する、請求項２３に記載のカセット。
【請求項２５】
前記一対のリブが前記ハウジングの前記側壁の内面から延びる、請求項２３または２４に記載のカセット。
【請求項２６】
前記第１の本体部分の端が把持フランジを備える、請求項１５から２５のいずれか一項に記載のカセット。